(57)【要約】【課題】ロータに形成される貫通孔を冷媒が通過するときの流路抵抗を低減する。【解決手段】冷媒を圧縮する圧縮機部に回転動力を与えるロータは、ロータコアと上側ロータ端板３３とを備えている。ロータコアは、冷媒が通過する複数の貫通孔３６−１〜３６−６が形成されている。上側ロータ端板３３は、ロータコアのうちの複数の貫通孔３６−１〜３６−６の一端が形成される上側ロータ端面を覆っている。上側ロータ端板３３は、複数の貫通孔３６−１〜３６−６を圧縮機の容器の内部空間に連通させる複数の上側開口部４５−１〜４５−６が形成されている。複数の上側開口部４５−１〜４５−６は、上側ロータ端面のうち、複数の貫通孔３６−１〜３６−６に隣接し、かつ、複数の貫通孔３６−１〜３６−６より回転軸に近い内周側の複数の上側内周側隣接領域４３−１〜４３−６を内部空間に露出させている。【選択図】図４
2019122075.tif 000002
【特許請求の範囲】
【請求項１】
ロータと、
回転軸を中心に前記ロータを回転させるステータと、
前記ロータが回転することにより冷媒を圧縮する圧縮機部と、
前記ロータと前記ステータと前記圧縮機部とが格納される内部空間を形成する密閉容器とを備え、
前記ロータは、
前記冷媒が通過する複数の孔が形成されるロータコアと、
前記ロータコアのうちの前記複数の孔の一端が形成される第１端面を覆う第１端板と、
前記ロータコアのうちの前記複数の孔の他端が形成される第２端面を覆う第２端板とを有し、
前記第１端板は、前記複数の孔を前記内部空間に連通させる第１開口部が形成され、
前記第２端板は、前記複数の孔を前記内部空間に連通させる第２開口部が形成され、
前記第１開口部または前記第２開口部の少なくとも一つは、前記第１端面または前記第２端面の前記複数の孔より前記回転軸に近い側の領域を前記内部空間に露出させる
圧縮機。
【請求項２】
前記第１開口部は、前記複数の孔の全てを前記内部空間に連通する１つの孔から形成される
請求項１に記載の圧縮機。
【請求項３】
前記第２開口部は、前記複数の孔の全てを前記内部空間に連通する１つの孔から形成される
請求項１または請求項２に記載の圧縮機。
【請求項４】
前記一端は、前記他端より前記圧縮機部に近い側に形成され、
前記第２端板は、前記他端のうちの前記回転軸から遠い側の領域を覆う突出部が形成される
請求項１〜請求項３のいずれか一項に記載の圧縮機。
【請求項５】
前記ロータコアは、前記複数の孔の内壁面のうちの前記ロータが回転する方向に対して後ろ側に複数の溝がそれぞれ形成され、
前記第２端板は、前記複数の溝のうちの前記第２端面に接続される端を塞ぐように形成される
請求項４に記載の圧縮機。
【発明の詳細な説明】
【技術分野】
【０００１】
本開示の技術は、圧縮機に関する。
【背景技術】
【０００２】
圧縮機部とモータ部とが密閉容器の内部に格納される密閉型の圧縮機が知られている。モータ部は、ステータとロータとを備えている。ステータは、回転磁界を生成することにより、ロータを回転させる。圧縮機部は、ロータが回転することにより冷媒を圧縮する。ロータには、圧縮機部により圧縮された冷媒が通過する複数の貫通孔が形成されている。圧縮機部を潤滑する冷凍機油は、密閉容器の内部に貯留され、圧縮機部により圧縮された冷媒とともに複数の貫通孔を通過し、冷媒とともに後段の装置に吐出される。このような圧縮機は、冷凍機油が複数の貫通孔を通過することを抑制することにより、密閉容器内に貯留される冷凍機油の減少を防止し、圧縮機部を適切に潤滑することができる（特許文献１、２参照）。
【先行技術文献】
【特許文献】
【０００３】
【特許文献１】特開２００３−２２８３９５号公報
【特許文献２】特開２０１１−２４１７５０号公報
【発明の概要】
【発明が解決しようとする課題】
【０００４】
しかしながら、このような圧縮機は、冷凍機油が複数の貫通孔を通過することを抑制するときに、冷媒が通過するときの流路抵抗も増加し、圧縮機が設けられた冷凍サイクル装置の効率が低下するという問題がある。
【０００５】
開示の技術は、かかる点に鑑みてなされたものであって、ロータに形成される貫通孔を冷媒が通過するときの流路抵抗を低減する圧縮機を提供することを目的とする。
【課題を解決するための手段】
【０００６】
開示の態様では、圧縮機は、ロータと、回転軸を中心に前記ロータを回転させるステータと、前記ロータが回転することにより冷媒を圧縮する圧縮機部と、前記ロータと前記ステータと前記圧縮機部とが格納される内部空間を形成する密閉容器とを備えている。前記ロータは、前記冷媒が通過する複数の孔が形成されるロータコアと、前記ロータコアのうちの前記複数の孔の一端が形成される第１端面を覆う第１端板と、前記ロータコアのうちの前記複数の孔の他端が形成される第２端面を覆う第２端板とを有している。前記第１端板は、前記複数の孔を前記内部空間に連通させる第１開口部が形成されている。前記第２端板は、前記複数の孔を前記内部空間に連通させる第２開口部が形成されている。前記第１開口部または前記第２開口部の少なくとも一つは、前記第１端面または前記第２端面の前記複数の孔より前記回転軸に近い側の領域を前記内部空間に露出させている。
【発明の効果】
【０００７】
開示の圧縮機は、ロータに形成される貫通孔を冷媒が通過するときの流路抵抗を低減することができる。
【図面の簡単な説明】
【０００８】
【図１】図１は、実施例１の圧縮機を示す縦断面図である。
【図２】図２は、実施例１の圧縮機のロータを示す断面図である。
【図３】図３（ａ）は、実施例１の圧縮機のロータを示す下面図であり、図３（ｂ）は、実施例１の圧縮機のロータを示す上面図である。
【図４】図４は、第１貫通孔の上端の近傍を示す拡大断面図である。
【図５】図５（ａ）は、実施例２の圧縮機のロータを示す下面図であり、図５（ｂ）は、実施例２の圧縮機のロータを示す上面図である。
【図６】図６は、第１貫通孔の下端の近傍を示す拡大断面図である。
【図７】図７（ａ）は、実施例３の圧縮機のロータを示す下面図であり、図７（ｂ）は、実施例３の圧縮機のロータを示す上面図である。
【図８】図８（ａ）は、比較例１の圧縮機のロータを示す下面図であり、図８（ｂ）は、比較例１の圧縮機のロータを示す上面図である。
【図９】図９（ａ）は、比較例２の圧縮機のロータを示す下面図であり、図９（ｂ）は、比較例２の圧縮機のロータを示す上面図である。
【図１０】図１０は、実施例１〜実施例３の圧縮機を５４ｋＢｔｕの冷房能力を持つ冷凍サイクル装置に搭載したときの期間効率と比較例１〜比較例２の圧縮機を５４ｋＢｔｕの冷房能力を持つ冷凍サイクル装置に搭載したときの期間効率とを示す棒グラフである。
【図１１】図１１は、実施例１〜実施例３の圧縮機を６０ｋＢｔｕの冷房能力を持つ冷凍サイクル装置に搭載したときの期間効率と比較例１〜比較例２の圧縮機を５４ｋＢｔｕの冷房能力を持つ冷凍サイクル装置に搭載したときの期間効率とを示す棒グラフである。
【図１２】図１２は、シャフトが１００ｒｐｍで回転するときの実施例１〜実施例３の圧縮機の吐油量と比較例１〜比較例２の圧縮機の吐油量とを示す棒グラフである。
【図１３】図１３は、シャフトが１２０ｒｐｍで回転するときの実施例１〜実施例３の圧縮機の吐油量と比較例１〜比較例２の圧縮機の吐油量とを示す棒グラフである。
【図１４】図１４は、実施例４の圧縮機のロータを示す断面図である。
【図１５】図１５（ａ）は、実施例４の圧縮機のロータを示す下面図であり、図１５（ｂ）は、実施例４の圧縮機のロータを示す上面図である。
【発明を実施するための形態】
【０００９】
以下に、本願が開示する実施形態にかかる圧縮機について、図面を参照して説明する。なお、以下の記載により本開示の技術が限定されるものではない。また、以下の記載においては、同一の構成要素に同一の符号を付与し、重複する説明を省略する。
【実施例１】
【００１０】
図１は、実施例１の圧縮機１を示す縦断面図である。圧縮機１は、図１に示されているように、容器２とシャフト３と圧縮機部５とモータ部６とを備えている。容器２は、密閉された内部空間７を形成している。内部空間７は、概ね円柱状に形成されている。圧縮機１は、容器２が水平面に縦置きされたときに、内部空間７の円柱の軸が鉛直方向に平行になるように、形成されている。容器２には、内部空間７の下部に油溜め８が形成されている。油溜め８には、圧縮機部５を潤滑させる冷凍機油が貯留される。容器２には、吸入管１１と吐出管１２とが接続されている。シャフト３は、棒状に形成され、一端が油溜め８に配置されるように、容器２の内部空間７に配置されている。シャフト３は、内部空間７が形成する円柱の軸に平行である回転軸を中心に回転可能に容器２に支持されている。シャフト３は、回転することにより、油溜め８に貯留される冷凍機油を圧縮機部５に供給する。
【００１１】
圧縮機部５は、内部空間７の下部に配置され、油溜め８の上方に配置されている。圧縮機１は、さらに、上マフラーカバー１４と下マフラーカバー１５とを備えている。上マフラーカバー１４は、内部空間７のうちの圧縮機部５の上部に配置されている。上マフラーカバー１４は、内部に上マフラー室１６を形成している。下マフラーカバー１５は、内部空間７のうちの圧縮機部５の下部に配置され、油溜め８の上部に配置されている。下マフラーカバー１５は、内部に下マフラー室１７を形成している。下マフラー室１７は、圧縮機部５に形成されている連通路（図示されていない）を介して上マフラー室１６に連通している。上マフラーカバー１４とシャフト３との間には、圧縮冷媒吐出孔１８が形成され、上マフラー室１６は、圧縮冷媒吐出孔１８を介して内部空間７に連通している。
【００１２】
圧縮機部５は、いわゆるロータリー型の圧縮機であり、シャフト３が回転することにより吸入管１１から供給される冷媒を圧縮し、その圧縮された冷媒を上マフラー室１６と下マフラー室１７とに供給する。その冷媒は、冷凍機油と相溶性を有している。
【００１３】
モータ部６は、内部空間７のうちの圧縮機部５の上部に配置されている。モータ部６は、ロータ２１とステータ２２とを備えている。ロータ２１は、シャフト３に固定されている。ステータ２２は、概ね円筒形に形成され、ロータ２１を囲むように配置され、容器２に固定されている。ステータ２２は、巻き線２６を備えている。ステータ２２は、巻き線２６に単相及び三相電圧が適切に印加されることにより、回転磁界を生成し、ロータ２１を回転させる。
【００１４】
［ロータ２１］
図２は、実施例１の圧縮機１のロータ２１を示す断面図である。ロータ２１は、図２に示されているように、ロータコア３１と下側ロータ端板３２と上側ロータ端板３３とを備えている。ロータコア３１は、概ね円柱状に形成され、たとえば、ケイ素鋼板のような軟磁性体で形成された複数の鋼板が積層されて形成されている。ロータコア３１は、ロータコア３１が形成する円柱の軸がシャフト３の回転軸に重なるように、シャフト３に固定されている。ロータコア３１は、さらに、下側ロータ端面３４と上側ロータ端面３５と複数の貫通孔３６−１〜３６−６とが形成されている。下側ロータ端面３４は、ロータコア３１が形成する円柱の一方の底面に対応する部位に形成され、ロータコア３１のうちの圧縮機部５に対向する部位に形成されている。上側ロータ端面３５は、ロータコア３１が形成する円柱の他方の底面に対応する部位に形成され、ロータコア３１のうちの下側ロータ端面３４が形成されている側の反対側に形成されている。複数の貫通孔３６−１〜３６−６は、シャフト３の回転軸に平行に形成され、シャフト３の周りに等間隔に配置されている。複数の貫通孔３６−１〜３６−６は、下側ロータ端面３４と上側ロータ端面３５とを貫通するように、形成されている。
【００１５】
下側ロータ端板３２は、概ね円板状に形成されている。下側ロータ端板３２は、ロータコア３１の下側ロータ端面３４を覆うように、下側ロータ端面３４に密着し、ロータコア３１に固定されている。上側ロータ端板３３は、概ね円板状に形成されている。上側ロータ端板３３は、ロータコア３１の上側ロータ端面３５を覆うように、上側ロータ端面３５に密着し、ロータコア３１に固定されている。
【００１６】
ロータ２１は、図示されていない永久磁石とバランサとをさらに備えている。永久磁石とバランサとは、下側ロータ端板３２と上側ロータ端板３３とがロータコア３１に固定されることにより、ロータコア３１に固定されている。永久磁石は、ステータ２２により生成される回転磁界によりロータ２１が回転するように設けられている。バランサは、ロータ２１が回転軸を中心に回転するように、すなわち、ロータ２１の重心がシャフト３の回転軸に重なるように、設けられている。
【００１７】
図３（ａ）は、実施例１の圧縮機１のロータ２１を示す下面図であり、図３（ｂ）は、実施例１の圧縮機１のロータ２１を示す上面図である。下側ロータ端板３２は、図３（ａ）に示されているように、下側中央孔４１と複数の下側開口部４２−１〜４２−６とが形成されている。下側中央孔４１は、下側ロータ端板３２の中央に形成されている。下側中央孔４１は、ロータ２１がシャフト３に固定されるときに、シャフト３が貫通する。
【００１８】
複数の下側開口部４２−１〜４２−６は、下側中央孔４１の周りに形成されている。複数の下側開口部４２−１〜４２−６は、シャフト３の回転軸と直交する平面に複数の貫通孔３６−１〜３６−６が交差する断面と同じ形状に形成されている。複数の下側開口部４２−１〜４２−６は、複数の貫通孔３６−１〜３６−６のうちの下側ロータ端面３４の側の下端をそれぞれ内部空間７に開放し、複数の貫通孔３６−１〜３６−６をそれぞれ内部空間７に連通させている。下側ロータ端板３２は、さらに、下側ロータ端面３４のうちの複数の貫通孔３６−１〜３６−６に隣接する領域の全てを覆っている。
【００１９】
すなわち、複数の下側開口部４２−１〜４２−６のうちの第１下側開口部４２−１は、複数の貫通孔３６−１〜３６−６のうちの第１貫通孔３６−１の下側ロータ端面３４の側の下端の全てを内部空間７に開放している。複数の下側開口部４２−１〜４２−６のうちの第２下側開口部４２−２は、複数の貫通孔３６−１〜３６−６のうちの第２貫通孔３６−２の下端の全てを内部空間７に開放している。複数の下側開口部４２−１〜４２−６のうちの第３下側開口部４２−３は、複数の貫通孔３６−１〜３６−６のうちの第３貫通孔３６−３の下端の全てを内部空間７に開放している。
【００２０】
複数の下側開口部４２−１〜４２−６のうちの第４下側開口部４２−４は、複数の貫通孔３６−１〜３６−６のうちの第４貫通孔３６−４の下端の全てを内部空間７に開放している。複数の下側開口部４２−１〜４２−６のうちの第５下側開口部４２−５は、複数の貫通孔３６−１〜３６−６のうちの第５貫通孔３６−５の下端の全てを内部空間７に開放している。複数の下側開口部４２−１〜４２−６のうちの第６下側開口部４２−６は、複数の貫通孔３６−１〜３６−６のうちの第６貫通孔３６−６の下端の全てを内部空間７に開放している。
【００２１】
上側ロータ端面３５は、図３（ｂ）に示されているように、複数の上側内周側隣接領域４３−１〜４３−６を含んでいる。複数の上側内周側隣接領域４３−１〜４３−６は、それぞれ、複数の貫通孔３６−１〜３６−６よりシャフト３の回転軸に近い内周側に配置され、複数の貫通孔３６−１〜３６−６の上端にそれぞれ隣接している。上側ロータ端板３３は、上側中央孔４４と複数の上側開口部４５−１〜４５−６と複数の突出部４６−１〜４６−６とが形成されている。上側中央孔４４は、上側ロータ端板３３の中央に形成されている。上側中央孔４４は、ロータ２１がシャフト３に固定されるときに、シャフト３の上端を内部空間７に露出させている。
【００２２】
複数の上側開口部４５−１〜４５−６は、上側中央孔４４の周りに形成されている。複数の上側開口部４５−１〜４５−６は、複数の貫通孔３６−１〜３６−６の上側ロータ端面３５の側の上端のうちの内周側の一部をそれぞれ内部空間７に開放し、複数の貫通孔３６−１〜３６−６をそれぞれ内部空間７に連通させている。複数の上側開口部４５−１〜４５−６は、さらに、複数の上側内周側隣接領域４３−１〜４３−６をそれぞれ内部空間７に露出させている。
【００２３】
複数の突出部４６−１〜４６−６は、それぞれ、複数の上側開口部４５−１〜４５−６のシャフト３の回転軸から遠い外周側に配置されている。複数の突出部４６−１〜４６−６は、それぞれ、複数の貫通孔３６−１〜３６−６の上側ロータ端面３５の側の上端のうちの外周側の一部をそれぞれ覆っている。
【００２４】
すなわち、複数の上側内周側隣接領域４３−１〜４３−６のうちの第１上側内周側隣接領域４３−１は、第１貫通孔３６−１の上端の内周側に配置され、第１貫通孔３６−１に隣接している。複数の上側開口部４５−１〜４５−６のうちの第１上側開口部４５−１は、第１貫通孔３６−１の上側ロータ端面３５の側の上端のうちの内周側の一部を内部空間７に開放し、第１貫通孔３６−１を内部空間７に連通させている。第１上側開口部４５−１は、第１上側内周側隣接領域４３−１を内部空間７に露出させている。複数の突出部４６−１〜４６−６のうちの第１突出部４６−１は、第１貫通孔３６−１の上端のうちの外周側の一部を覆っている。
【００２５】
複数の上側内周側隣接領域４３−１〜４３−６のうちの第２上側内周側隣接領域４３−２は、第２貫通孔３６−２の上端の内周側に配置され、第２貫通孔３６−２に隣接している。複数の上側開口部４５−１〜４５−６のうちの第２上側開口部４５−２は、第２貫通孔３６−２の上端のうちの内周側の一部を内部空間７に開放し、第２貫通孔３６−２を内部空間７に連通させている。第２上側開口部４５−２は、第２上側内周側隣接領域４３−２を内部空間７に露出させている。複数の突出部４６−１〜４６−６のうちの第２突出部４６−２は、第２貫通孔３６−２の上端のうちの外周側の一部を覆っている。
【００２６】
複数の上側内周側隣接領域４３−１〜４３−６のうちの第３上側内周側隣接領域４３−３は、第３貫通孔３６−３の上端の内周側に配置され、第３貫通孔３６−３に隣接している。複数の上側開口部４５−１〜４５−６のうちの第３上側開口部４５−３は、第３貫通孔３６−３の上端のうちの内周側の一部を内部空間７に開放し、第３貫通孔３６−３を内部空間７に連通させている。第３上側開口部４５−３は、第３上側内周側隣接領域４３−３を内部空間７に露出させている。複数の突出部４６−１〜４６−６のうちの第３突出部４６−３は、第３貫通孔３６−３の上端のうちの外周側の一部を覆っている。
【００２７】
複数の上側内周側隣接領域４３−１〜４３−６のうちの第４上側内周側隣接領域４３−４は、第４貫通孔３６−４の上端の内周側に配置され、第４貫通孔３６−４に隣接している。複数の上側開口部４５−１〜４５−６のうちの第４上側開口部４５−４は、第４貫通孔３６−４の上端のうちの内周側の一部を内部空間７に開放し、第４貫通孔３６−４を内部空間７に連通させている。第４上側開口部４５−４は、第４上側内周側隣接領域４３−４を内部空間７に露出させている。複数の突出部４６−１〜４６−６のうちの第４突出部４６−４は、第４貫通孔３６−４の上端のうちの外周側の一部を覆っている。
【００２８】
複数の上側内周側隣接領域４３−１〜４３−６のうちの第５上側内周側隣接領域４３−５は、第５貫通孔３６−５の上端の内周側に配置され、第５貫通孔３６−５に隣接している。複数の上側開口部４５−１〜４５−６のうちの第５上側開口部４５−５は、第５貫通孔３６−５の上端のうちの内周側の一部を内部空間７に開放し、第５貫通孔３６−５を内部空間７に連通させている。第５上側開口部４５−５は、第５上側内周側隣接領域４３−５を内部空間７に露出させている。複数の突出部４６−１〜４６−６のうちの第５突出部４６−５は、第５貫通孔３６−５の上端のうちの外周側の一部を覆っている。
【００２９】
複数の上側内周側隣接領域４３−１〜４３−６のうちの第６上側内周側隣接領域４３−６は、第６貫通孔３６−６の上端の内周側に配置され、第６貫通孔３６−６に隣接している。複数の上側開口部４５−１〜４５−６のうちの第６上側開口部４５−６は、第６貫通孔３６−６の上端のうちの内周側の一部を内部空間７に開放し、第６貫通孔３６−６を内部空間７に連通させている。第６上側開口部４５−６は、第６上側内周側隣接領域４３−６を内部空間７に露出させている。複数の突出部４６−１〜４６−６のうちの第６突出部４６−６は、第６貫通孔３６−６の上端のうちの外周側の一部を覆っている。
【００３０】
［圧縮機１の動作］
圧縮機１は、図示しない冷凍サイクル装置に設けられ、冷媒を圧縮して、冷凍サイクル装置に冷媒を循環させることに利用される。圧縮機１のモータ部６は、ステータ２２の巻き線２６に三相電圧が印加されることにより、回転磁界を発生させる。ロータ２１は、ステータ２２により生成された回転磁界により回転し、それに伴いシャフト３を回転させる。
【００３１】
圧縮機部５は、シャフト３が回転すると、吸入管１１を介して低圧冷媒ガスを吸入し、その吸入された低圧冷媒ガスを圧縮することにより高圧冷媒ガスを生成し、その高圧冷媒ガスを上マフラー室１６と下マフラー室１７とに供給する。下マフラーカバー１５は、下マフラー室１７に供給された高圧冷媒ガスの圧力の脈動を低減し、圧力脈動が低減された高圧冷媒ガスを上マフラー室１６に供給する。上マフラーカバー１４は、上マフラー室１６に供給された高圧冷媒ガスの圧力の脈動を低減し、圧力脈動が低減された高圧冷媒ガスを内部空間７のうちの圧縮機部５とモータ部６との間の空間に圧縮冷媒吐出孔１８を介して供給する。内部空間７のうちの圧縮機部５とモータ部６との間の空間に供給された高圧冷媒ガスは、複数の貫通孔３６−１〜３６−６を通過することにより、内部空間７のうちのモータ部６より上の空間に供給される。内部空間７のうちのモータ部６より上の空間に供給された冷媒は、吐出管１２を介して冷凍サイクル装置の後段の装置に吐出される。
【００３２】
図４は、第１貫通孔３６−１の上端の近傍を示す拡大断面図である。高圧冷媒ガスは、第１貫通孔３６−１を通過するときに、図４に示されているように、第１突出部４６−１に衝突することにより、第１貫通孔３６−１の上端からシャフト３の回転軸に向かって斜めに流れ出る。上側ロータ端板３３は、上側内周側隣接領域４３−１を内部空間７に露出させていることにより、第１貫通孔３６−１の上端からシャフト３の回転軸に向かって斜めに流れ出る高圧冷媒ガスと干渉しにくい。このため、モータ部６は、高圧冷媒ガスが第１貫通孔３６−１の上端からシャフト３の回転軸に向かって斜めに流れ出るときに受ける抵抗を低減することができ、高圧冷媒ガスが第１貫通孔３６−１から流れ出るときの圧力損失を低減することができる。モータ部６は、上側内周側隣接領域４３−１が内部空間７に露出していることにより、さらに、第１貫通孔３６−１を介してモータ部６の下部と上部とを接続する流路の長さを、上側ロータ端板３３の厚さの分、短縮することができる。モータ部６は、その流路の長さが短いことにより、高圧冷媒ガスがその流路を通過する流路抵抗を低減することができ、高圧冷媒ガスがその流路を通過するときの圧力損失を低減することができる。複数の貫通孔３６−１〜３６−６のうちの第１貫通孔３６−１と異なる他の貫通孔に関しても、第１貫通孔３６−１と同様にして、モータ部６の下部と上部とを接続する流路を高圧冷媒ガスが通過するときの圧力損失を低減することができる。圧縮機１は、高圧冷媒ガスがその流路を通過するときの圧力損失を低減することにより、後段の装置に吐出される冷媒の圧力の低下を抑制し、冷媒を高効率に圧縮することができる。
【００３３】
油溜め８に貯留される冷凍機油は、シャフト３が回転することにより、圧縮機部５に供給され、圧縮機部５を構成する機械要素間に働く摩擦を軽減する潤滑油として利用される。冷凍機油は、圧縮機部５が低圧冷媒ガスを圧縮して高圧冷媒ガスを生成するときに、高圧冷媒ガスと混合されて、内部空間７のうちのモータ部６と圧縮機部５との間の空間に供給される。また、冷凍機油は、シャフト３が回転することにより、さらに、内部空間７のうちのモータ部６と圧縮機部５との間の空間に排出され、高圧冷媒ガスと混合される。内部空間７のうちのモータ部６と圧縮機部５との間の空間に供給された冷凍機油の一部は、高圧冷媒ガスとともに、複数の貫通孔３６−１〜３６−６を通過することにより、内部空間７のうちのモータ部６より上の空間に供給される。内部空間７のうちのモータ部６より上の空間に供給された冷媒は、高圧冷媒ガスとともに、吐出管１２を介して冷凍サイクル装置の後段の装置に吐出される。
【００３４】
冷凍機油は、高圧冷媒ガスとともに複数の貫通孔３６−１〜３６−６を通過するときに、複数の突出部４６−１〜４６−６に衝突し、複数の貫通孔３６−１〜３６−６内で冷媒から分離される。複数の貫通孔３６−１〜３６−６内で冷媒から分離された冷凍機油は、ロータ２１が回転していることにより、遠心力により複数の貫通孔３６−１〜３６−６の外周側に移動し、複数の貫通孔３６−１〜３６−６の外周側に溜まる。複数の貫通孔３６−１〜３６−６の外周側に溜まった冷凍機油の一部は、複数の貫通孔３６−１〜３６−６の下端の全てが開放されていることにより、内部空間７のうちのモータ部６と圧縮機部５との間の空間に供給される。複数の突出部４６−１〜４６−６は、複数の貫通孔３６−１〜３６−６の上端の外周側の一部を覆っていることにより、複数の貫通孔３６−１〜３６−６の外周側に溜まった冷凍機油が、内部空間７のうちのモータ部６より上の空間に供給されることを抑制する。圧縮機１は、冷凍機油が内部空間７のうちのモータ部６より上の空間に供給されることが抑制されることにより、冷媒とともに冷凍機油が吐出管１２を介して後段の装置に吐出される吐油量を低減する。圧縮機１は、後段の装置に吐出される冷凍機油の吐油量が低減することにより、容器２の内部に貯留される冷凍機油が減少することを防止することができる。圧縮機１は、容器２の内部に貯留される冷凍機油が減少することを防止することにより、圧縮機部５に潤滑油を適切に供給することができ、圧縮機部５を適切に潤滑することができる。また、圧縮機１は、吐油量を減少させることで、冷凍サイクル装置の熱交換器の熱交換効率を向上することができる。
【００３５】
［実施例１の圧縮機１の効果］
実施例１の圧縮機１は、ロータ２１と、回転軸を中心にロータ２１を回転させるステータ２２と、ロータ２１が回転することにより冷媒を圧縮する圧縮機部５と、ロータ２１とステータ２２と圧縮機部５とが格納される内部空間７を形成する容器２とを備えている。ロータ２１は、ロータコア３１と上側ロータ端板３３（第１端板）と下側ロータ端板３２（第２端板）とを備えている。ロータコア３１は、冷媒が通過する複数の貫通孔３６−１〜３６−６が形成されている。上側ロータ端板３３は、ロータコア３１のうちの複数の貫通孔３６−１〜３６−６の上端が形成される上側ロータ端面３５（第１端面）を覆っている。下側ロータ端板３２は、ロータコア３１のうちの複数の貫通孔３６−１〜３６−６の下端が形成される下側ロータ端面３４（第２端面）を覆っている。上側ロータ端板３３は、複数の貫通孔３６−１〜３６−６を内部空間７に連通させる複数の上側開口部４５−１〜４５−６（第１開口部）が形成されている。下側ロータ端板３２は、複数の貫通孔３６−１〜３６−６を内部空間７に連通させる複数の下側開口部４２−１〜４２−６（第２開口部）が形成されている。複数の上側開口部４５−１〜４５−６は、上側ロータ端面３５のうちの複数の上側内周側隣接領域４３−１〜４３−６を内部空間７に露出させている。複数の上側内周側隣接領域４３−１〜４３−６は、複数の貫通孔３６−１〜３６−６の上端に隣接し、かつ、複数の貫通孔３６−１〜３６−６の上端よりシャフト３の回転軸に近い側に配置されている。
【００３６】
このような圧縮機１は、複数の上側内周側隣接領域４３−１〜４３−６が内部空間７に露出していることにより、上側ロータ端板３３の厚さの分、複数の貫通孔３６−１〜３６−６を介してモータ部６の下部と上部とを接続する流路の長さを短縮することができる。このため、圧縮機１は、複数の上側内周側隣接領域４３−１〜４３−６が内部空間７に露出していることにより、高圧冷媒ガスがその流路を通過する流路抵抗を低減し、高圧冷媒ガスがモータ部６を通過するときの圧力損失を低減することができる。圧縮機１は、高圧冷媒ガスがモータ部６を通過するときの圧力損失が低減されることにより、冷媒を高効率に圧縮することができる。圧縮機１は、冷媒を高効率に圧縮することにより、圧縮機１が設けられる冷凍サイクルの効率を向上させることができる。
【００３７】
また、実施例１の圧縮機１の上側ロータ端板３３は、複数の貫通孔３６−１〜３６−６の上側ロータ端面３５の側の上端のうちの外周側の一部をそれぞれ覆う複数の突出部４６−１〜４６−６が形成されている。冷凍機油は、冷媒と混合された状態で複数の貫通孔９６−１〜９６−６を通過するときに、複数の突出部４６−１〜４６−６に衝突し、複数の貫通孔９６−１〜９６−６内で冷媒から分離される。複数の貫通孔９６−１〜９６−６内で冷媒から分離された冷凍機油は、ロータ２１が回転していることにより、遠心力で複数の貫通孔３６−１〜３６−６の外周側に移動し、複数の貫通孔３６−１〜３６−６の外周側に溜まる。このような圧縮機１は、複数の突出部４６−１〜４６−６が形成されていることにより、複数の貫通孔３６−１〜３６−６の外周側に溜まった冷凍機油が内部空間７のうちのモータ部６の上部に流れ出ることを抑制する。このため、圧縮機１は、内部空間７のうちのモータ部６の上部に供給される冷凍機油の量を低減し、冷媒とともに冷凍機油が後段の装置に吐出される吐油量を低減することができる。圧縮機１は、複数の突出部４６−１〜４６−６が形成された場合でも、上側ロータ端面３５の複数の上側内周側隣接領域４３−１〜４３−６が内部空間７に露出していることにより、高圧冷媒ガスがモータ部６を通過する圧力損失の増加を抑制することができる。
【実施例２】
【００３８】
実施例２の圧縮機は、図５に示されているように、既述の実施例１の圧縮機１の下側ロータ端板３２が他の下側ロータ端板５１に置換され、上側ロータ端板３３が他の上側ロータ端板５２に置換されている。図５（ａ）は、実施例２の圧縮機のロータ２１を示す下面図であり、図５（ｂ）は、実施例２の圧縮機のロータ２１を示す上面図である。下側ロータ端板５１は、図５（ａ）に示されているように、下側開口部５３が形成されている。下側開口部５３は、円形に形成されている。下側開口部５３は、ロータ２１がシャフト３に固定されるときに、シャフト３が貫通する。下側開口部５３は、複数の貫通孔３６−１〜３６−６のうちの下側ロータ端面３４の側の下端の全てを内部空間７に開放し、複数の貫通孔３６−１〜３６−６をそれぞれ内部空間７に連通させている。
【００３９】
下側ロータ端面３４は、複数の下側内周側隣接領域５４−１〜５４−６を含んでいる。複数の下側内周側隣接領域５４−１〜５４−６は、それぞれ、複数の貫通孔３６−１〜３６−６より内周側に配置され、複数の貫通孔３６−１〜３６−６にそれぞれ隣接している。すなわち、複数の下側内周側隣接領域５４−１〜５４−６のうちの第１下側内周側隣接領域５４−１は、第１貫通孔３６−１より内周側に配置され、第１貫通孔３６−１に隣接している。複数の下側内周側隣接領域５４−１〜５４−６のうちの第２下側内周側隣接領域５４−２は、第２貫通孔３６−２より内周側に配置され、第２貫通孔３６−２に隣接している。複数の下側内周側隣接領域５４−１〜５４−６のうちの第３下側内周側隣接領域５４−３は、第３貫通孔３６−３より内周側に配置され、第３貫通孔３６−３に隣接している。複数の下側内周側隣接領域５４−１〜５４−６のうちの第４下側内周側隣接領域５４−４は、第４貫通孔３６−４より内周側に配置され、第４貫通孔３６−４に隣接している。複数の下側内周側隣接領域５４−１〜５４−６のうちの第５下側内周側隣接領域５４−５は、第５貫通孔３６−５より内周側に配置され、第５貫通孔３６−５に隣接している。複数の下側内周側隣接領域５４−１〜５４−６のうちの第６下側内周側隣接領域５４−６は、第６貫通孔３６−６より内周側に配置され、第６貫通孔３６−６に隣接している。下側開口部５３は、複数の下側内周側隣接領域５４−１〜５４−６の全てを内部空間７に露出させている。
【００４０】
上側ロータ端板５２は、図５（ｂ）に示されているように、上側開口部５５と複数の突出部５６−１〜５６−６とが形成されている。上側開口部５５は、円形に形成されている。上側開口部５５は、ロータ２１がシャフト３に固定されるときに、シャフト３の上端を内部空間７に露出させている。上側開口部５５は、複数の貫通孔３６−１〜３６−６の上側ロータ端面３５の側の上端のうちの内周側の一部をそれぞれ内部空間７に開放し、複数の貫通孔３６−１〜３６−６をそれぞれ内部空間７に連通させている。上側開口部５５は、さらに、複数の上側内周側隣接領域４３−１〜４３−６の全てを内部空間７に露出させている。
【００４１】
複数の突出部５６−１〜５６−６は、それぞれ、複数の貫通孔３６−１〜３６−６の上端のうちの外周側の一部をそれぞれ覆っている。すなわち、複数の突出部５６−１〜５６−６のうちの第１突出部５６−１は、第１貫通孔３６−１の上側ロータ端面３５の側の上端のうちの外周側の一部を覆っている。複数の突出部５６−１〜５６−６のうちの第２突出部５６−２は、第２貫通孔３６−２の上端のうちの外周側の一部を覆っている。複数の突出部５６−１〜５６−６のうちの第３突出部５６−３は、第３貫通孔３６−３の上端のうちの外周側の一部を覆っている。複数の突出部５６−１〜５６−６のうちの第４突出部５６−４は、第４貫通孔３６−４の上端のうちの外周側の一部を覆っている。複数の突出部５６−１〜５６−６のうちの第５突出部５６−５は、第５貫通孔３６−５の上端のうちの外周側の一部を覆っている。複数の突出部５６−１〜５６−６のうちの第６突出部５６−６は、第６貫通孔３６−６の上端のうちの外周側の一部を覆っている。
【００４２】
実施例２の圧縮機は、既述の実施例１の圧縮機１と同様にして、動作する。上側ロータ端板５２は、既述の上側ロータ端板３３と同様にして、複数の上側内周側隣接領域４３−１〜４３−６を内部空間７に露出させていることにより、複数の貫通孔３６−１〜３６−６の上端から内周側に向かって斜めに流れ出る高圧冷媒ガスと干渉しにくい。上側ロータ端板５２は、複数の上側内周側隣接領域４３−１〜４３−６が内部空間７に露出していることにより、複数の貫通孔３６−１〜３６−６を介してモータ部６の上下を貫通する流路の長さを、上側ロータ端板５２の厚さの分、短縮することができる。このため、上側ロータ端板５２は、高圧冷媒ガスが第１貫通孔３６−１の上端から流れ出る抵抗を低減することができ、高圧冷媒ガスが第１貫通孔３６−１から流れ出るときの圧力損失を低減することができる。
【００４３】
図６は、第１貫通孔３６−１の下端の近傍を示す拡大断面図である。圧縮冷媒吐出孔１８から流れ出た高圧冷媒ガスは、シャフト３に沿って上昇することより、図６に示されているように、シャフト３の側から外周側に向かって斜めに進行して、第１貫通孔３６−１の内部に進入する。下側ロータ端板５１は、複数の下側内周側隣接領域５４−１〜５４−６を内部空間７に露出させていることにより、シャフト３の側から第１貫通孔３６−１の内部に斜めに進入する高圧冷媒ガスと干渉しにくい。このため、実施例２の圧縮機のモータ部６は、高圧冷媒ガスが内部空間７のうちのモータ部６の下部から第１貫通孔３６−１の内部に進入するときに受ける抵抗を低減することができ、高圧冷媒ガスが第１貫通孔３６−１の内部に進入するときの圧力損失を低減することができる。実施例２の圧縮機は、複数の下側内周側隣接領域５４−１〜５４−６が露出していることにより、さらに、複数の貫通孔３６−１〜３６−６を介してモータ部６の下部と上部とを接続する流路の長さを、下側ロータ端板５１の厚さの分、短縮することができる。すなわち、実施例２の圧縮機は、複数の下側内周側隣接領域５４−１〜５４−６が覆われている既述の実施例１の圧縮機１に比較して、複数の貫通孔３６−１〜３６−６を介してモータ部６の下部と上部とを接続する流路の長さを短縮することができる。実施例２の圧縮機は、その流路の長さが短いことにより、高圧冷媒ガスがその流路を通過する流路抵抗を低減することができ、高圧冷媒ガスがその流路を通過するときの圧力損失を低減することができる。実施例２の圧縮機は、高圧冷媒ガスがその流路を通過するときの圧力損失を低減することにより、後段の装置に吐出される冷媒の圧力の低下を抑制し、冷媒を高効率に圧縮することができる。
【００４４】
［実施例２の圧縮機の効果］
実施例２の圧縮機は、下側ロータ端面３４の複数の下側内周側隣接領域５４−１〜５４−６と上側ロータ端面３５の複数の上側内周側隣接領域４３−１〜４３−６との両方が内部空間７に露出している。このような圧縮機は、複数の下側内周側隣接領域５４−１〜５４−６が内部空間７に露出していることにより、下側ロータ端板３２の厚さの分、複数の貫通孔３６−１〜３６−６を介してモータ部６の下部と上部とを接続する流路の長さを短縮することができる。このため、実施例２の圧縮機は、既述の実施例１の圧縮機１に比較して、高圧冷媒ガスがその流路を通過する流路抵抗をさらに低減することができ、高圧冷媒ガスがその流路を通過するときの圧力損失をさらに低減することができる。実施例２の圧縮機は、高圧冷媒ガスがその流路を通過するときの圧力損失がさらに低減することにより、高圧冷媒ガスをさらに高効率に吐出することができ、本圧縮機が設けられる冷凍サイクルの効率をさらに向上させることができる。
【００４５】
また、実施例２の圧縮機の下側ロータ端板５１は、１つの下側開口部５３が形成されている。下側開口部５３は、複数の貫通孔３６−１〜３６−６の全てを内部空間７に連通し、複数の下側内周側隣接領域５４−１〜５４−６を内部空間７に露出させている。下側ロータ端板５１は、下側開口部５３が１つの孔から形成されていることにより、既述の実施例１の圧縮機１の下側ロータ端板３２に比較して、より容易に製作されることができる。このような圧縮機は、下側ロータ端板５１が容易に製作されることにより、容易に製作されることができる。
【００４６】
また、実施例２の圧縮機の上側ロータ端板５２は、１つの上側開口部５５が形成されている。上側開口部５５は、複数の貫通孔３６−１〜３６−６の全てを内部空間７に連通し、複数の上側内周側隣接領域４３−１〜４３−６を内部空間７に露出させている。上側ロータ端板５２は、上側開口部５５が１つの孔から形成されていることにより、既述の実施例１の圧縮機１の上側ロータ端板３３に比較して、より容易に製作されることができる。このような圧縮機は、上側ロータ端板５２が容易に製作されることにより、容易に製作されることができる。
【００４７】
また、実施例２の圧縮機の上側ロータ端板５２は、複数の貫通孔３６−１〜３６−６の上側ロータ端面３５の側の上端のうちの外周側の一部をそれぞれ覆う複数の突出部５６−１〜５６−６が形成されている。複数の突出部５６−１〜５６−６は、複数の貫通孔３６−１〜３６−６の上端の外周側の一部を覆っていることにより、複数の貫通孔３６−１〜３６−６の外周側に溜まった冷凍機油が、内部空間７のうちのモータ部６より上の空間に供給されることを抑制する。実施例２の圧縮機は、冷凍機油が内部空間７のうちのモータ部６より上の空間に供給されることが抑制されることにより、冷媒とともに冷凍機油が後段の装置に吐出される吐油量を低減することができる。このような圧縮機は、複数の突出部５６−１〜５６−６が形成された場合でも、複数の上側内周側隣接領域４３−１〜４３−６が内部空間７に露出していることにより、複数の貫通孔３６−１〜３６−６を介してモータ部６の下部と上部とを接続する流路の圧力損失の増加を抑制することができる。
【実施例３】
【００４８】
実施例３の圧縮機は、図７に示されているように、既述の実施例２の圧縮機１の上側ロータ端板５２が他の上側ロータ端板６１に置換されている。図７（ａ）は、実施例３の圧縮機のロータ２１を示す下面図であり、図７（ｂ）は、実施例３の圧縮機のロータ２１を示す上面図である。実施例３の圧縮機は、図７（ａ）に示されているように、実施例２の圧縮機と同様にして、下側ロータ端板５１を備えている。上側ロータ端板６１は、図７（ｂ）に示されているように、上側中央孔６２と複数の上側開口部６３−１〜６３−６とが形成されている。上側中央孔６２は、上側ロータ端板６１の中央に形成されている。上側中央孔６２は、ロータ２１がシャフト３に固定されるときに、シャフト３の上端を内部空間７に露出させている。
【００４９】
複数の上側開口部６３−１〜６３−６は、上側中央孔６２の周りに形成されている。複数の上側開口部６３−１〜６３−６は、シャフト３の回転軸に直交する平面に複数の貫通孔３６−１〜３６−６が交差する断面と同じ形状に形成されている。複数の上側開口部６３−１〜６３−６は、複数の貫通孔３６−１〜３６−６のうちの上側ロータ端面３５の側の上端の全てをそれぞれ内部空間７に開放し、複数の貫通孔３６−１〜３６−６をそれぞれ内部空間７に連通させている。上側ロータ端板６１は、さらに、図示されていないが、上側ロータ端面３５の複数の上側内周側隣接領域４３−１〜４３−６の全てを覆っている。
【００５０】
すなわち、複数の上側開口部６３−１〜６３−６のうちの第１上側開口部６３−１は、第１貫通孔３６−１の上側ロータ端面３５の側の上端の全てを内部空間７に開放している。第１上側開口部６３−１は、さらに、上側ロータ端面３５のうちの第１貫通孔３６−１に隣接する領域の全てを覆っている。複数の上側開口部６３−１〜６３−６のうちの第２上側開口部６３−２は、第２貫通孔３６−２の上端の全てを内部空間７に開放している。第２上側開口部６３−２は、さらに、上側ロータ端面３５のうちの第２貫通孔３６−２に隣接する領域の全てを覆っている。
【００５１】
複数の上側開口部６３−１〜６３−６のうちの第３上側開口部６３−３は、第３貫通孔３６−３の上端の全てを内部空間７に開放している。第３上側開口部６３−３は、さらに、上側ロータ端面３５のうちの第３貫通孔３６−３に隣接する領域の全てを覆っている。複数の上側開口部６３−１〜６３−６のうちの第４上側開口部６３−４は、第４貫通孔３６−４の上端の全てを内部空間７に開放している。第４上側開口部６３−４は、さらに、上側ロータ端面３５のうちの第４貫通孔３６−４に隣接する領域の全てを覆っている。
【００５２】
複数の上側開口部６３−１〜６３−６のうちの第５上側開口部６３−５は、第５貫通孔３６−５の上端の全てを内部空間７に開放している。第５上側開口部６３−５は、さらに、上側ロータ端面３５のうちの第５貫通孔３６−５に隣接する領域の全てを覆っている。複数の上側開口部６３−１〜６３−６のうちの第６上側開口部６３−６は、第６貫通孔３６−６の上端の全てを内部空間７に開放している。第６上側開口部６３−６は、さらに、上側ロータ端面３５のうちの第６貫通孔３６−６に隣接する領域の全てを覆っている。
【００５３】
実施例３の圧縮機は、既述の実施例１の圧縮機１と同様にして、動作する。実施例３の圧縮機は、複数の下側内周側隣接領域５４−１〜５４−６が内部空間７に露出していることにより、既述の実施例２の圧縮機と同様にして、高圧冷媒ガスが複数の貫通孔３６−１〜３６−６の内部に進入するときの圧力損失を低減することができる。このため、実施例３の圧縮機は、冷媒を高効率に圧縮することができる。
【００５４】
［比較例１の圧縮機］
比較例１の圧縮機は、図８に示されているように、既述の実施例１の圧縮機１の上側ロータ端板３３が、既述の実施例３の圧縮機の上側ロータ端板６１に置換されている。図８（ａ）は、比較例１の圧縮機のロータを示す下面図であり、図８（ｂ）は、比較例１の圧縮機のロータを示す上面図である。比較例１の圧縮機は、図８（ａ）に示されているように、既述の実施例１の圧縮機１と同様にして、下側ロータ端板３２を備え、下側ロータ端面３４の複数の下側内周側隣接領域５４−１〜５４−６が下側ロータ端板３２に覆われている。比較例１の圧縮機は、図８（ｂ）に示されているように、既述の実施例３の圧縮機と同様にして、上側ロータ端面３５のうちの複数の貫通孔３６−１〜３６−６に隣接する領域の全てが上側ロータ端板６１に覆われている。すなわち、比較例１の圧縮機は、図示されていないが、上側ロータ端面３５の複数の上側内周側隣接領域４３−１〜４３−６が上側ロータ端板６１に覆われている。このため、比較例１の圧縮機は、複数の下側内周側隣接領域５４−１〜５４−６と複数の上側内周側隣接領域４３−１〜４３−６との両方が内部空間７に露出していない。
【００５５】
［比較例２の圧縮機］
比較例２の圧縮機は、図９に示されているように、既述の実施例１の圧縮機１の上側ロータ端板３３が他の上側ロータ端板２０１に置換されている。図９（ａ）は、比較例２の圧縮機のロータを示す下面図であり、図９（ｂ）は、比較例２の圧縮機のロータを示す上面図である。比較例２の圧縮機の下側ロータ端板は、図９（ａ）に示されているように、既述の実施例１の圧縮機と同様にして、下側ロータ端板３２を備え、下側ロータ端面３４の複数の下側内周側隣接領域５４−１〜５４−６が下側ロータ端板３２に覆われている。上側ロータ端板２０１は、図９（ｂ）に示されているように、上側中央孔２０２と複数の上側開口部２０３−１〜２０３−６と複数の突出部２０４−１〜２０４−６とが形成されている。上側中央孔２０２は、上側ロータ端板２０１の中央に形成されている。上側中央孔２０２は、ロータ２１がシャフト３に固定されるときに、シャフト３の上端を内部空間７に露出させている。
【００５６】
複数の上側開口部２０３−１〜２０３−６は、上側中央孔２０２の周りに形成されている。複数の上側開口部２０３−１〜２０３−６は、複数の貫通孔３６−１〜３６−６のうちの上側ロータ端面３５の側の上端の一部をそれぞれ内部空間７に開放し、複数の貫通孔３６−１〜３６−６をそれぞれ内部空間７に連通させている。複数の突出部２０４−１〜２０４−６は、それぞれ、複数の上側開口部２０３−１〜２０３−６の外周側に配置されている。複数の突出部２０４−１〜２０４−６は、それぞれ、複数の貫通孔３６−１〜３６−６の上側ロータ端面３５の側の上端のうちの外周側の一部をそれぞれ覆っている。
【００５７】
すなわち、複数の上側開口部２０３−１〜２０３−６のうちの第１上側開口部２０３−１は、第１貫通孔３６−１の上端の全てを内部空間７に開放している。第１上側開口部２０３−１は、さらに、上側ロータ端面３５のうちの第１貫通孔３６−１に隣接する領域の全てを覆っている。複数の突出部２０４−１〜２０４−６のうちの第１突出部２０４−１は、第１貫通孔３６−１の上端のうちの外周側の一部を覆っている。
【００５８】
複数の上側開口部２０３−１〜２０３−６のうちの第２上側開口部２０３−２は、第２貫通孔３６−２の上端の全てを内部空間７に開放している。第２上側開口部２０３−２は、さらに、上側ロータ端面３５のうちの第２貫通孔３６−２に隣接する領域の全てを覆っている。複数の突出部２０４−１〜２０４−６のうちの第２突出部２０４−２は、第２貫通孔３６−２の上端のうちの外周側の一部を覆っている。
【００５９】
複数の上側開口部２０３−１〜２０３−６のうちの第３上側開口部２０３−３は、第３貫通孔３６−３の上端の全てを内部空間７に開放している。第３上側開口部２０３−３は、さらに、上側ロータ端面３５のうちの第３貫通孔３６−３に隣接する領域の全てを覆っている。複数の突出部２０４−１〜２０４−６のうちの第３突出部２０４−３は、第３貫通孔３６−３の上端のうちの外周側の一部を覆っている。
【００６０】
複数の上側開口部２０３−１〜２０３−６のうちの第４上側開口部２０３−４は、第４貫通孔３６−４の上端の全てを内部空間７に開放している。第４上側開口部２０３−４は、さらに、上側ロータ端面３５のうちの第４貫通孔３６−４に隣接する領域の全てを覆っている。複数の突出部２０４−１〜２０４−６のうちの第４突出部２０４−４は、第４貫通孔３６−４の上端のうちの外周側の一部を覆っている。
【００６１】
複数の上側開口部２０３−１〜２０３−６のうちの第５上側開口部２０３−５は、第５貫通孔３６−５の上端の全てを内部空間７に開放している。第５上側開口部２０３−５は、さらに、上側ロータ端面３５のうちの第５貫通孔３６−５に隣接する領域の全てを覆っている。複数の突出部２０４−１〜２０４−６のうちの第５突出部２０４−５は、第５貫通孔３６−５の上端のうちの外周側の一部を覆っている。
【００６２】
複数の上側開口部２０３−１〜２０３−６のうちの第６上側開口部２０３−６は、第６貫通孔３６−６の上端の全てを内部空間７に開放している。第６上側開口部２０３−６は、さらに、上側ロータ端面３５のうちの第６貫通孔３６−６に隣接する領域の全てを覆っている。複数の突出部２０４−１〜２０４−６のうちの第６突出部２０４−６は、第６貫通孔３６−６の上端のうちの外周側の一部を覆っている。
【００６３】
比較例２の圧縮機は、下側ロータ端面３４の複数の下側内周側隣接領域５４−１〜５４−６が下側ロータ端板３２に覆われ、上側ロータ端面３５の複数の上側内周側隣接領域４３−１〜４３−６が上側ロータ端板２０１に覆われている。このため、比較例２の圧縮機は、複数の下側内周側隣接領域５４−１〜５４−６と複数の上側内周側隣接領域４３−１〜４３−６との両方が内部空間７に露出していない。
【００６４】
図１０は、実施例１〜実施例３の圧縮機を５４ｋＢｔｕの冷房能力を持つ冷凍サイクル装置に搭載したときの期間効率と比較例１〜比較例２の圧縮機を５４ｋＢｔｕの冷房能力を持つ冷凍サイクル装置に搭載したときの期間効率とを示す棒グラフである。図１０の棒グラフの棒７１の高さは、実施例１の圧縮機１が設けられる冷凍サイクル装置の期間効率を示している。棒７２の高さは、実施例２の圧縮機が設けられる冷凍サイクル装置の期間効率を示している。棒７３の高さは、実施例３の圧縮機が設けられる冷凍サイクル装置の期間効率を示している。棒７４の高さは、比較例１の圧縮機が設けられる冷凍サイクル装置の期間効率を示している。棒７５の高さは、比較例２の圧縮機が設けられる冷凍サイクル装置の期間効率を示している。
【００６５】
棒７１と棒７５とは、実施例１の圧縮機１の冷凍サイクルの期間効率が、比較例２の圧縮機の冷凍サイクルの期間効率より大きいことを示している。すなわち、棒７１と棒７５とは、複数の上側内周側隣接領域４３−１〜４３−６が露出することにより、期間効率が大きくなることを示している。
【００６６】
棒７３と棒７４とは、実施例３の圧縮機の冷凍サイクルの期間効率が、比較例１の圧縮機の冷凍サイクルの期間効率より大きいことを示している。すなわち、棒７３と棒７４とは、複数の下側内周側隣接領域５４−１〜５４−６が露出することにより、期間効率が大きくなることを示している。
【００６７】
図１１は、実施例１〜実施例３の圧縮機を６０ｋＢｔｕの冷房能力を持つ冷凍サイクル装置に搭載したときの期間効率と比較例１〜比較例２の圧縮機を６０ｋＢｔｕの冷房能力を持つ冷凍サイクル装置に搭載したときの期間効率とを示す棒グラフである。図１１の棒グラフの棒７６の高さは、実施例１の圧縮機１が設けられる冷凍サイクル装置の期間効率を示している。棒７７の高さは、実施例２の圧縮機が設けられる冷凍サイクル装置の期間効率を示している。棒７８の高さは、実施例３の圧縮機が設けられる冷凍サイクル装置の期間効率を示している。棒７９の高さは、比較例１の圧縮機が設けられる冷凍サイクル装置の期間効率を示している。棒８０の高さは、比較例２の圧縮機が設けられる冷凍サイクル装置の期間効率を示している。
【００６８】
棒７６と棒８０とは、実施例１の圧縮機１の冷凍サイクルの期間効率が、比較例２の圧縮機の冷凍サイクルの期間効率より大きいことを示している。すなわち、棒７６と棒８０とは、複数の上側内周側隣接領域４３−１〜４３−６が露出することにより、期間効率が大きくなることを示している。
【００６９】
棒７８と棒７９とは、実施例３の圧縮機の冷凍サイクルの期間効率が、比較例１の圧縮機の冷凍サイクルの期間効率より大きいことを示している。すなわち、棒７８と棒７９とは、複数の下側内周側隣接領域５４−１〜５４−６が露出することにより、期間効率が大きくなることを示している。
【００７０】
実施例１〜３の圧縮機の期間効率が大きくなる理由としては、複数の下側内周側隣接領域５４−１〜５４−６または複数の上側内周側隣接領域４３−１〜４３−６が露出することにより、モータ部６の上下を接続する流路の流路抵抗が小さくなることが例示される。すなわち、図１０の棒グラフと図１１の棒グラフとは、複数の下側内周側隣接領域５４−１〜５４−６が露出することにより、複数の貫通孔３６−１〜３６−６を介してモータ部６の上下を接続する流路を高圧冷媒ガスが通過する流路抵抗が小さくなることを示している。図１０の棒グラフと図１１の棒グラフとは、さらに、複数の上側内周側隣接領域４３−１〜４３−６が露出することにより、複数の貫通孔３６−１〜３６−６を介してモータ部６の上下を接続する流路を高圧冷媒ガスが通過する流路抵抗が小さくなることを示している。
【００７１】
図１２は、シャフト３が１００ｒｐｍで回転するときの実施例１〜実施例３の圧縮機の吐油量と比較例１〜比較例２の圧縮機の吐油量とを示す棒グラフである。吐油量は、吐出管１２を介して吐出される冷媒に冷凍機油が含まれる濃度を示している。図１２の棒グラフの棒８１の高さは、実施例１の圧縮機１の吐油量を示している。棒８２の高さは、実施例２の圧縮機の吐油量を示している。棒８３の高さは、実施例３の圧縮機の吐油量を示している。棒８４の高さは、比較例１の圧縮機の吐油量を示している。棒８５の高さは、比較例２の圧縮機の吐油量を示している。
【００７２】
棒８１と棒８４と棒８５とは、シャフト３が１００ｒｐｍで回転するときに、実施例１の圧縮機１の吐油量と比較例２の圧縮機の吐油量とが、比較例１の圧縮機の吐油量より小さいことを示している。実施例１の圧縮機１と比較例１の圧縮機と比較例２の圧縮機とは、ともに下側ロータ端板３２を備え、ロータコア３１の上側ロータ端面３５を覆う上側ロータ端板が互いに異なっている。すなわち、実施例１の圧縮機１と比較例２の圧縮機とが備える上側ロータ端板３３、２０１は、複数の貫通孔３６−１〜３６−６の上端のうちの外周側の一部を覆う複数の突出部４６−１〜４６−６、２０４−１〜２０４−６が形成されている。これに対して、比較例１の圧縮機が備える上側ロータ端板６１は、複数の突出部が形成されておらず、複数の貫通孔３６−１〜３６−６の上端の外周側を覆わずに、複数の貫通孔３６−１〜３６−６の上端の全てを内部空間７に開放している。このため、棒８１と棒８４と棒８５とは、複数の貫通孔３６−１〜３６−６の上端のうちの外周側の一部が覆われることにより、圧縮機の吐油量が低減されることを示し、複数の貫通孔３６−１〜３６−６を介してモータ部６の下部から上部に冷凍機油が通過する量が低減することを示している。
【００７３】
棒８２と棒８３とは、シャフト３が１００ｒｐｍで回転するときに、実施例２の圧縮機との吐油量が、実施例３の圧縮機の吐油量より小さいことを示している。実施例２の圧縮機１と実施例３の圧縮機とは、ともに下側ロータ端板５１を備え、ロータコア３１の上側ロータ端面３５を覆う上側ロータ端板が互いに異なっている。すなわち、実施例２の圧縮機が備える上側ロータ端板５２は、複数の貫通孔３６−１〜３６−６の上端のうちの外周側の一部を覆う複数の突出部５６−１〜５６−６が形成されている。これに対して、実施例３の圧縮機が備える上側ロータ端板６１は、複数の突出部が形成されておらず、複数の貫通孔３６−１〜３６−６の上端の外周側を覆わずに、複数の貫通孔３６−１〜３６−６の上端の全てを内部空間７に開放している。このため、棒８２と棒８３とは、複数の貫通孔３６−１〜３６−６の上端のうちの外周側の一部が覆われることにより、圧縮機の吐油量が低減されることを示し、複数の貫通孔３６−１〜３６−６を介してモータ部６の下部から上部に冷凍機油が通過する量が低減することを示している。
【００７４】
要するに、棒８１〜棒８５は、シャフト３が１００ｒｐｍで回転するときに、実施例１〜実施例２の圧縮機と比較例２の圧縮機との吐油量が、実施例３の圧縮機と比較例１の圧縮機との吐油量より小さいことを示している。すなわち、棒８１〜棒８５は、複数の貫通孔３６−１〜３６−６の上端のうちの外周側の一部が覆われることにより、圧縮機の吐油量が低減することを示し、複数の貫通孔３６−１〜３６−６を介してモータ部６の下部から上部に冷凍機油が通過する量が低減することを示している。
【００７５】
図１３は、シャフト３が１２０ｒｐｍで回転するときの実施例１〜実施例３の圧縮機の吐油量と比較例１〜比較例２の圧縮機の吐油量とを示す棒グラフである。図１３の棒グラフの棒８６の高さは、実施例１の圧縮機１の吐油量を示している。棒８７の高さは、実施例２の圧縮機の吐油量を示している。棒８８の高さは、実施例３の圧縮機の吐油量を示している。棒８９の高さは、比較例１の圧縮機の吐油量を示している。棒９０の高さは、比較例２の圧縮機の吐油量を示している。
【００７６】
棒８６と棒８９と棒９０とは、シャフト３が１２０ｒｐｍで回転するときに、実施例１の圧縮機１の吐油量と比較例２の圧縮機の吐油量とが、比較例１の圧縮機の吐油量より小さいことを示している。すなわち、棒８６と棒８９と棒９０とは、図１２の棒グラフの棒８１と棒８４と棒８５と同様に、複数の貫通孔３６−１〜３６−６の上端のうちの外周側の一部が覆われることにより、圧縮機の吐油量が低減されることを示し、複数の貫通孔３６−１〜３６−６を介してモータ部６の下部から上部に冷凍機油が通過する量が低減することを示している。
【００７７】
棒８７と棒８８とは、シャフト３が１２０ｒｐｍで回転するときに、実施例２の圧縮機との吐油量が、実施例３の圧縮機の吐油量より小さいことを示している。すなわち、棒８７と棒８８とは、図１２の棒グラフの棒８２と棒８３と同様に、複数の貫通孔３６−１〜３６−６の上端のうちの外周側の一部が覆われることにより、圧縮機の吐油量が低減されることを示し、複数の貫通孔３６−１〜３６−６を介してモータ部６の下部から上部に冷凍機油が通過する量が低減することを示している。
【００７８】
要するに、棒８６〜棒９０は、シャフト３が１２０ｒｐｍで回転するときに、実施例１〜実施例２の圧縮機と比較例２の圧縮機との吐油量が、実施例３の圧縮機と比較例１の圧縮機との吐油量より小さいことを示している。すなわち、棒８６〜棒９０は、複数の貫通孔３６−１〜３６−６の上端のうちの外周側の一部が覆われることにより、圧縮機の吐油量が低減されることを示し、複数の貫通孔３６−１〜３６−６を介してモータ部６の下部から上部に冷凍機油が通過する量が低減することを示している。
【００７９】
すなわち、図１２の棒グラフと図１３の棒グラフとは、シャフト３の回転数が１００ｒｐｍであっても、１２０ｒｐｍであっても、複数の貫通孔３６−１〜３６−６の上端のうちの外周側の一部が覆われることにより、複数の貫通孔３６−１〜３６−６を介してモータ部６の下部から上部に冷凍機油が通過する量が小さくなることを示している。
【実施例４】
【００８０】
実施例４の圧縮機は、図１４に示されているように、既述の実施例１の圧縮機１のロータコア３１が他のロータコア９１に置換され、下側ロータ端板３２が他の下側ロータ端板９２に置換され、上側ロータ端板３３が他の上側ロータ端板９３に置換されている。図１４は、実施例４の圧縮機のロータを示す断面図である。ロータコア９１は、ロータコア３１と同様にして、概ね円柱状に形成され、図１４に示されているように、シャフト３に固定されている。ロータコア９１は、さらに、下側ロータ端面９４と上側ロータ端面９５と複数の貫通孔９６−１〜９６−６が形成されている。下側ロータ端面９４は、ロータコア９１のうちの円柱の一方の底面に対応する部位に形成され、ロータコア９１のうちの圧縮機部５に対向する部位に形成されている。上側ロータ端面９５は、ロータコア９１のうちの円柱の他方の底面に対応する部位に形成され、ロータコア９１のうちの下側ロータ端面９４が形成されている側の反対側に形成されている。複数の貫通孔９６−１〜９６−６は、シャフト３の回転軸に平行である複数の直線にそれぞれ沿うように形成され、シャフト３の周りに等間隔に配置されている。複数の貫通孔９６−１〜９６−６は、下側ロータ端面９４と上側ロータ端面９５とを貫通するように、形成されている。
【００８１】
下側ロータ端板９２は、概ね円板状に形成されている。下側ロータ端板９２は、ロータコア９１の下側ロータ端面９４を覆うように、下側ロータ端面９４に密着し、ロータコア９１に固定されている。上側ロータ端板９３は、概ね円板状に形成されている。上側ロータ端板９３は、ロータコア９１の上側ロータ端面９５を覆うように、上側ロータ端面９５に密着し、ロータコア９１に固定されている。
【００８２】
図１５（ａ）は、実施例４の圧縮機のロータを示す下面図であり、図１５（ｂ）は、実施例４の圧縮機のロータを示す上面図である。下側ロータ端面９４は、図１５（ａ）に示されているように、複数の下側内周側隣接領域９７−１〜９７−６を含んでいる。複数の下側内周側隣接領域９７−１〜９７−６は、それぞれ、複数の貫通孔９６−１〜９６−６より内周側に配置され、複数の貫通孔９６−１〜９６−６にそれぞれ隣接している。
【００８３】
ロータコア９１は、複数の溝９８−１〜９８−６が形成されている。複数の溝９８−１〜９８−６は、複数の貫通孔９６−１〜９６−６の内壁面にそれぞれ形成されている。複数の溝９８−１〜９８−６は、それぞれ、下側ロータ端面９４と上側ロータ端面９５とを接続するように、形成されている（図１４参照）。
【００８４】
複数の溝９８−１〜９８−６のうちの第１溝９８−１は、複数の貫通孔９６−１〜９６−６のうちの第１貫通孔９６−１の内壁面に形成されている。第１溝９８−１は、さらに、第１貫通孔９６−１の内壁面のうちの外周側の領域に形成され、その外周側の領域のうちのロータの回転方向９９に対して後ろ側の端に形成されている。複数の溝９８−１〜９８−６のうちの第２溝９８−２は、複数の貫通孔９６−１〜９６−６のうちの第２貫通孔９６−２の内壁面に形成されている。第２溝９８−２は、さらに、第２貫通孔９６−２の内壁面のうちの外周側の領域に形成され、その外周側の領域のうちのロータの回転方向９９に対して後ろ側の端に形成されている。
【００８５】
複数の溝９８−１〜９８−６のうちの第３溝９８−３は、複数の貫通孔９６−１〜９６−６のうちの第３貫通孔９６−３の内壁面に形成されている。第３溝９８−３は、さらに、第３貫通孔９６−３の内壁面のうちの外周側の領域に形成され、その外周側の領域のうちのロータの回転方向９９に対して後ろ側の端に形成されている。複数の溝９８−１〜９８−６のうちの第４溝９８−４は、複数の貫通孔９６−１〜９６−６のうちの第４貫通孔９６−４の内壁面に形成されている。第４溝９８−４は、さらに、第４貫通孔９６−４の内壁面のうちの外周側の領域に形成され、その外周側の領域のうちのロータの回転方向９９に対して後ろ側の端に形成されている。
【００８６】
複数の溝９８−１〜９８−６のうちの第５溝９８−５は、複数の貫通孔９６−１〜９６−６のうちの第５貫通孔９６−５の内壁面に形成されている。第５溝９８−５は、さらに、第５貫通孔９６−５の内壁面のうちの外周側の領域に形成され、その外周側の領域のうちのロータの回転方向９９に対して後ろ側の端に形成されている。複数の溝９８−１〜９８−６のうちの第６溝９８−６は、複数の貫通孔９６−１〜９６−６のうちの第６貫通孔９６−６の内壁面に形成されている。第６溝９８−６は、さらに、第６貫通孔９６−６の内壁面のうちの外周側の領域に形成され、その外周側の領域のうちのロータの回転方向９９に対して後ろ側の端に形成されている。
【００８７】
下側ロータ端板９２は、下側開口部１００が形成されている。下側開口部１００は、円形に形成されている。下側開口部１００は、ロータコア９１がシャフト３に固定されるときに、シャフト３が貫通する。下側開口部１００は、複数の貫通孔９６−１〜９６−６のうちの下側ロータ端面９４の側の下端の全てを内部空間７に開放し、複数の貫通孔９６−１〜９６−６をそれぞれ内部空間７に連通させている。下側開口部１００は、さらに、複数の溝９８−１〜９８−６のうちの下側ロータ端面９４の側の下端の全てを内部空間７に開放し、複数の溝９８−１〜９８−６をそれぞれ内部空間７に連通させている。下側開口部１００は、さらに、複数の下側内周側隣接領域９７−１〜９７−６の全てを内部空間７に露出させている。
【００８８】
上側ロータ端面９５は、図１５（ｂ）に示されているように、複数の上側内周側隣接領域１０１−１〜１０１−６を含んでいる。複数の上側内周側隣接領域１０１−１〜１０１−６は、それぞれ、複数の貫通孔９６−１〜９６−６より内周側に配置され、複数の貫通孔９６−１〜９６−６にそれぞれ隣接している。
【００８９】
上側ロータ端板９３は、上側開口部１０２と複数の突出部１０３−１〜１０３−６とが形成されている。上側開口部１０２は、円形に形成されている。上側開口部１０２は、ロータコア９１がシャフト３に固定されるときに、シャフト３の上端を内部空間７に露出させている。上側開口部１０２は、複数の貫通孔９６−１〜９６−６のうちの上側ロータ端面９５の側の端の一部を内部空間７に開放し、複数の貫通孔９６−１〜９６−６を内部空間７に連通させている。
【００９０】
複数の突出部１０３−１〜１０３−６は、複数の貫通孔９６−１〜９６−６の上側ロータ端面９５の側の上端のうちの外周側の一部をそれぞれ覆っている。複数の突出部１０３−１〜１０３−６は、さらに、複数の溝９８−１〜９８−６のうちの上側ロータ端面９５の側の上端の全てをそれぞれ覆っている。
【００９１】
すなわち、複数の突出部１０３−１〜１０３−６のうちの第１突出部１０３−１は、第１貫通孔９６−１の上側ロータ端面９５の側の上端のうちの外周側の一部を覆い、第１溝９８−１のうちの上側ロータ端面９５の側の上端の全てを塞いでいる。複数の突出部１０３−１〜１０３−６のうちの第２突出部１０３−２は、第２貫通孔９６−２の上側ロータ端面９５の側の上端のうちの外周側の一部を覆い、第２溝９８−２のうちの上側ロータ端面９５の側の上端の全てを塞いでいる。複数の突出部１０３−１〜１０３−６のうちの第３突出部１０３−３は、第３貫通孔９６−３の上側ロータ端面９５の側の上端のうちの外周側の一部を覆い、第３溝９８−３のうちの上側ロータ端面９５の側の上端の全てを塞いでいる。
【００９２】
複数の突出部１０３−１〜１０３−６のうちの第４突出部１０３−４は、第４貫通孔９６−４の上側ロータ端面９５の側の上端のうちの外周側の一部を覆い、第４溝９８−４のうちの上側ロータ端面９５の側の上端の全てを塞いでいる。複数の突出部１０３−１〜１０３−６のうちの第５突出部１０３−５は、第５貫通孔９６−５の上側ロータ端面９５の側の上端のうちの外周側の一部を覆い、第５溝９８−５のうちの上側ロータ端面９５の側の上端の全てを塞いでいる。複数の突出部１０３−１〜１０３−６のうちの第６突出部１０３−６は、第６貫通孔９６−６の上側ロータ端面９５の側の上端のうちの外周側の一部を覆い、第６溝９８−６のうちの上側ロータ端面９５の側の上端の全てを塞いでいる。
【００９３】
［実施例４の圧縮機の効果］
実施例４の圧縮機のロータコア９１は、複数の貫通孔９６−１〜９６−６の内部のうちの回転方向９９の後端に複数の溝９８−１〜９８−６がそれぞれ形成されている。上側ロータ端板９３は、複数の溝９８−１〜９８−６のうちの上側ロータ端面９５に接続される上端を塞ぐように形成されている。下側ロータ端板９２は、複数の溝９８−１〜９８−６の下側ロータ端面９４に接続される下端が内部空間７に連通するように、複数の溝９８−１〜９８−６の下端を開放している。
【００９４】
このような圧縮機によれば、複数の貫通孔９６−１〜９６−６を通過する冷凍機油を含む高圧冷媒ガスは、ロータコア９１の回転に伴い複数の貫通孔９６−１〜９６−６内で冷媒ガスと冷凍機油との分離が促進される。分離された冷凍機油は、回転に伴って複数の溝９８−１〜９８−６の各々に向かって移動し、複数の溝９８−１〜９８−６に溜まる。実施例４の圧縮機は、複数の突出部１０３−１〜１０３−６が形成されていることにより、冷凍機油が複数の溝９８−１〜９８−６から内部空間７に流れ出ることを抑制し、内部空間７のうちのモータ部６の上部に供給される冷凍機油の量を低減することができる。実施例４の圧縮機は、内部空間７のうちのモータ部６の上部に供給される冷凍機油の量が低減されることにより、冷媒とともに後段の装置に吐出される冷凍機油の量を低減することができる。実施例４の圧縮機は、吐出される冷凍機油の量が低減することにより、内部空間７のうちのモータ部６の下部に供給される冷凍機油の量を増加させることができ、冷凍機油を高効率に油溜め８に戻し、圧縮機部５を適切に潤滑することができる。また、実施例４の圧縮機は、吐油量を低減することで、冷凍サイクル装置の熱交換器の熱交換効率を向上することができる。
【００９５】
実施例４の圧縮機は、複数の下側内周側隣接領域９７−１〜９７−６が露出していることにより、既述の実施例１、２の圧縮機と同様にして、高圧冷媒ガスがモータ部６の下部から複数の貫通孔９６−１〜９６−６の内部に進入するときの圧力損失を低減する。実施例４の圧縮機は、複数の上側内周側隣接領域１０１−１〜１０１−６が露出していることにより、既述の実施例２、３の圧縮機と同様にして、高圧冷媒ガスが複数の貫通孔９６−１〜９６−６から流れ出るときの圧力損失を低減することができる。実施例４の圧縮機は、複数の下側内周側隣接領域９７−１〜９７−６と複数の上側内周側隣接領域１０１−１〜１０１−６とが露出していることにより、複数の貫通孔９６−１〜９６−６を介してモータ部６の上下を接続する流路の長さを短縮することができる。実施例４の圧縮機は、その流路の長さが短縮することにより、その流路の圧力損失を低減することができる。このため、実施例４の圧縮機は、複数の突出部１０３−１〜１０３−６が形成された場合でも、高圧冷媒ガスがその流路を通過するときの圧力損失を低減することにより、その流路の圧力損失の増加を抑制することができる。実施例４の圧縮機は、その流路の圧力損失の増加を抑制することにより、冷媒を高効率に圧縮することができる。
【００９６】
ところで、既述の実施例１〜４の圧縮機の圧縮機部５は、ロータリー圧縮機から形成されているが、ロータリー圧縮機と異なる他の圧縮機に置換されてもよい。その圧縮機としては、スクロール圧縮機が例示される。実施例１〜４の圧縮機は、このような場合でも、複数の下側内周側隣接領域または複数の上側内周側隣接領域が内部空間７に露出することにより、複数の貫通孔の流路抵抗を低減し、冷媒を高効率に圧縮することができる。
【００９７】
以上、実施例を説明したが、前述した内容により実施例が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、実施例の要旨を逸脱しない範囲で構成要素の種々の省略、置換及び変更のうち少なくとも１つを行うことができる。
【符号の説明】
【００９８】
１      ：圧縮機
２      ：容器
５      ：圧縮機部
６      ：モータ部
７      ：内部空間
２１    ：ロータ
２２    ：ステータ
３１    ：ロータコア
３２    ：下側ロータ端板
３３    ：上側ロータ端板
３４    ：下側ロータ端面
３５    ：上側ロータ端面
３６−１〜３６−６：複数の貫通孔
４２−１〜４２−６：複数の下側開口部
４３−１〜４３−６：複数の上側内周側隣接領域
４５−１〜４５−６：複数の上側開口部
４６−１〜４６−６：複数の突出部
５１    ：下側ロータ端板
５２    ：上側ロータ端板
５３    ：下側開口部
５４−１〜５４−６：複数の下側内周側隣接領域
５５    ：上側開口部
５６−１〜５６−６：複数の突出部
６１    ：上側ロータ端板
６３−１〜６３−６：複数の上側開口部
９１    ：ロータコア
９２    ：下側ロータ端板
９３    ：上側ロータ端板
９４    ：下側ロータ端面
９５    ：上側ロータ端面
９６−１〜９６−６：複数の貫通孔
９７−１〜９７−６：複数の下側内周側隣接領域
９８−１〜９８−６：複数の溝
９９    ：回転方向
１００  ：下側開口部
１０１−１〜１０１−６：複数の上側内周側隣接領域
１０２  ：上側開口部
１０３−１〜１０３−６：複数の突出部
【図１】
2019122075.tif 000003
【図２】
2019122075.tif 000004
【図３】
2019122075.tif 000005
【図４】
2019122075.tif 000006
【図５】
2019122075.tif 000007
【図６】
2019122075.tif 000008
【図７】
2019122075.tif 000009
【図８】
2019122075.tif 000010
【図９】
2019122075.tif 000011
【図１０】
2019122075.tif 000012
【図１１】
2019122075.tif 000013
【図１２】
2019122075.tif 000014
【図１３】
2019122075.tif 000015
【図１４】
2019122075.tif 000016
【図１５】
2019122075.tif 000017
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
ロータと、
回転軸を中心に前記ロータを回転させるステータと、
前記ロータが回転することにより冷媒を圧縮する圧縮機部と、
前記ロータと前記ステータと前記圧縮機部とが格納される内部空間を形成する密閉容器とを備え、
前記密閉容器は、圧縮された冷媒を外部へ吐出する吐出部を備え、
前記ロータは、前記圧縮機部と前記吐出部との間に配置され、
前記ロータは、
前記冷媒が通過する複数の孔が形成されるロータコアと、
前記ロータコアのうちの前記複数の孔の一端が形成される第１端面を覆う第１端板と、
前記ロータコアのうちの前記複数の孔の他端が形成される第２端面を覆う第２端板とを有し、
前記第１端板は、前記複数の孔を前記内部空間に連通させる第１開口部が形成され、
前記第２端板は、前記複数の孔を前記内部空間に連通させる第２開口部が形成され、
前記第１開口部または前記第２開口部の少なくとも一つは、前記第１端面または前記第２端面の前記複数の孔より前記回転軸に近い側の領域を前記内部空間に露出させ、
前記一端は、前記他端より前記圧縮機部に近い側に形成され、
前記第１開口部は、前記一端を前記内部空間に開放するように形成され、
前記第２開口部は、前記他端のうちの前記回転軸から遠い側の領域を覆う突出部が形成される
圧縮機。
【請求項２】
前記第１開口部は、前記複数の孔の全てを前記内部空間に連通する１つの孔から形成され、
前記１つの孔は、円形に形成される
請求項１に記載の圧縮機。
【請求項３】
前記第２開口部は、前記複数の孔の全てを前記内部空間に連通する他の１つの孔から形成され、
前記他の１つの孔は、円形に形成され、
前記他の１つの孔の径は、前記１つの孔の径より小さい
請求項２に記載の圧縮機。
【請求項４】
前記圧縮機部は、前記圧縮機部により圧縮された高圧冷媒ガスが前記一端から前記複数の孔の内部に進入するように、前記高圧冷媒ガスを吐出する吐出孔が前記ロータに向かって開口するように形成される
請求項１〜請求項３のいずれか一項に記載の圧縮機。
【請求項５】
前記ロータコアは、前記複数の孔の内壁面のうちの前記ロータが回転する方向に対して後ろ側に複数の溝がそれぞれ形成され、
前記第２端板は、前記複数の溝のうちの前記第２端面に接続される端を塞ぐように形成される
請求項１から請求項４のいずれか一項に記載の圧縮機。
【手続補正２】
【補正対象書類名】明細書
【補正対象項目名】０００６
【補正方法】変更
【補正の内容】
【０００６】
開示の態様では、圧縮機は、ロータと、回転軸を中心に前記ロータを回転させるステータと、前記ロータが回転することにより冷媒を圧縮する圧縮機部と、前記ロータと前記ステータと前記圧縮機部とが格納される内部空間を形成する密閉容器とを備えている。前記密閉容器は、圧縮された冷媒を外部へ吐出する吐出部を備え、前記ロータは、前記圧縮機部と前記吐出部との間に配置されている。前記ロータは、前記冷媒が通過する複数の孔が形成されるロータコアと、前記ロータコアのうちの前記複数の孔の一端が形成される第１端面を覆う第１端板と、前記ロータコアのうちの前記複数の孔の他端が形成される第２端面を覆う第２端板とを有している。前記第１端板は、前記複数の孔を前記内部空間に連通させる第１開口部が形成されている。前記第２端板は、前記複数の孔を前記内部空間に連通させる第２開口部が形成されている。前記第１開口部または前記第２開口部の少なくとも一つは、前記第１端面または前記第２端面の前記複数の孔より前記回転軸に近い側の領域を前記内部空間に露出させている。前記一端は、前記他端より前記圧縮機部に近い側に形成され、前記第１端板は、前記一端の全てを前記内部空間に開放するように形成され、前記第２端板は、前記他端のうちの前記回転軸から遠い側の領域を覆う突出部が形成されている。